(57)【要約】【課題】聴覚障害者が後方を振り返って確認しなくても接近中の移動物体の存在を聴覚障害者が認知できる移動物体検知センサ付き装身具を提供する。【解決手段】移動物体の接近を検知する移動物体検知センサを備える移動物体検知センサ付き装身具１であって、前記移動物体検知センサはドップラーセンサを有し、前記移動物体検知センサによって前記移動物体の接近を検知した場合に、聴覚障害者に前記移動物体の接近を認知させるバイブレータ８が設けられている。バイブレータ８でなく発光手段を用いてもよい。【選択図】図１
2010066276.tif 000002
【特許請求の範囲】
【請求項１】
移動物体の接近を検知する移動物体検知センサを備える移動物体検知センサ付き装身具であって、
前記移動物体検知センサはドップラーセンサを有し、
前記移動物体検知センサによって前記移動物体の接近を検知した場合に、聴覚障害者に前記移動物体の接近を認知させる通知手段が設けられていることを特徴とする移動物体検知センサ付き装身具。
【請求項２】
前記通知手段は、バイブレータであることを特徴とする請求項１に記載の移動物体検知センサ付き装身具。
【請求項３】
前記通知手段は、発光手段であることを特徴とする請求項１に記載の移動物体検知センサ付き装身具。
【発明の詳細な説明】
【技術分野】
【０００１】
本発明は、走行中の自動車等の移動物体が接近して来ていることを検知する移動物体検知センサ付き装身具に関する。より詳しくは、聴覚障害者の歩行時に、背後から接近して来た自動車を検知して聴覚障害者に認知させる移動物体検知センサ付き装身具に関する。
【背景技術】
【０００２】
従来、ガードレールや歩行者天国のない白線が敷かれているだけの通行帯では、自動車が白線を超えて侵入すると、歩行者と衝突する可能性がある。また、歩行者が誤って自動車通行帯に侵入した場合も自動車と衝突する可能性がある。特に、聴覚障害者は自動車の走行音を聞き取り難く、自動車との接触の可能性が高い。接触事故を避けるために補聴器を用いることができるが重度の聴覚障害者にとっては有効でない。
そこで、補聴器を装着しても自動車の走行音が十分に聞こえない聴覚障害者は、自動車と衝突しないように、適宜、後方を確認して接近して来る自動車が存在するか否かを確認する必要がある。
【０００３】
しかし、後方を確認しながら歩くことは疲れる動作であり、また、聴覚障害者が精神的に疲労している場合などには後方を確認することを怠るときがある。
そこで、後方を振り向いて確認しなくても接近中の自動車の存在を検知して自動車が近づいて来ていることを聴覚障害者が認知できる装置の存在が望まれる。聴覚以外の触覚として、視覚、嗅覚、味覚、触覚がある。この中で、接近中の自動車の存在を感知できるものは視覚及び触覚である。
【０００４】
ところで、移動物体検知装置としてドップラセンサを内蔵したものが知られている（例えば、特許文献１参照）。この特許文献１に開示の装置は、ドップラセンサのアンテナから発信される電磁波を障害物に当てて、その反射波をアンテナを介して受信することによって、電磁波の周波数から障害物の動きを監視するものである。
【先行技術文献】
【特許文献】
【０００５】
【特許文献１】特開２００６−２７５８８５号公報
【発明の概要】
【発明が解決しようとする課題】
【０００６】
しかし、従来の移動物体検知センサ付き装身具に相当するものとしては、音声を増幅する補聴器が一般的であり、上述したように、補聴器を装着しても自動車の走行音が十分に聞こえない聴覚障害者にとっては、不都合である。
【０００７】
本発明は上記事情に鑑みてなされたものであり、聴覚障害者が後方を振り返って確認しなくても接近中の移動物体の存在を聴覚障害者が認知できる移動物体検知センサ付き装身具を提供することを目的とする。
【課題を解決するための手段】
【０００８】
本発明者は、このような課題に対して鋭意研究を重ねた結果、ドップラーセンサを有する移動物体検知センサと、該移動物体検知センサで移動物体の接近を検知した場合に聴覚障害者に移動物体の接近を認知させる通知手段とを備えることによって、聴覚障害者が後方を振り返って確認しなくても接近中の移動物体の存在を聴覚障害者が認知できることを見出し、本発明を完成するに至った。
【０００９】
本発明の移動物体検知センサ付き装身具は、移動物体の接近を検知する移動物体検知センサを備える移動物体検知センサ付き装身具であって、前記移動物体検知センサはドップラーセンサを有し、前記移動物体検知センサによって前記移動物体の接近を検知した場合に、聴覚障害者に前記移動物体の接近を認知させる通知手段が設けられていることを特徴とする。
かかる発明では、移動物体が接近すると移動物体検知センサによって検知され、検知信号が通知手段に送信されて該通知手段によって聴覚障害者に移動物体の接近が認知されるため、聴覚障害者が後方を振り返って確認しなくても接近中の移動物体の存在が聴覚障害者に認知される。
【００１０】
また、本発明の移動物体検知センサ付き装身具は、前記通知手段は、バイブレータであることを特徴とする。
かかる発明では、移動物体の接近を聴覚障害者に認知させる通知手段がバイブレータであるので、移動物体が聴覚障害者に接近した場合に、バイブレータが振動し聴覚障害者に認知される。この発明の場合、移動物体が一定範囲に近づいたら、バイブレータが振動するように設定される。
装身具の形状としては、薄板状のピース、直方体状のピース、円盤状のピースその他の形状にすることができる。そして、携帯電話のように衣類のポケットに収納することによって、聴覚障害者はバイブレータの振動を体感することができる。又は、当該装身具を小片状の筐体を有するリストバンドとし、該筐体を振動させることで聴覚障害者に認知させることができる。
【００１１】
また、本発明の移動物体検知センサ付き装身具は、前記通知手段は、発光手段であることを特徴とする。
かかる発明では、移動物体の接近を聴覚障害者に認知させる通知手段が発光手段であるので、移動物体が聴覚障害者に接近した場合に、発光手段が発光し聴覚障害者に認知される。発光手段としては、ＬＥＤランプ、白熱灯その他の発光手段を用いることができる。また、本発明の装身具はペンダントやブローチとして好適に用いられる。かかる部位での発光であれば、夜間の歩行時に聴覚障害者に発光信号を認知させることが可能だからである。
【発明の効果】
【００１２】
本発明の移動物体検知センサ付き装身具では、ドップラーセンサを有する移動物体検知センサと、該移動物体検知センサで移動物体の接近を検知した場合に聴覚障害者に移動物体の接近を認知させる通知手段とを備えることによって、聴覚障害者が後方を振り返って確認しなくても接近中の移動物体の存在を聴覚障害者に認知させることができる。
【図面の簡単な説明】
【００１３】
【図１】図１は、本発明の移動物体検知センサ付き装身具の第１実施形態を示す説明図である。
【図２】図２は、図１の移動物体検知センサ付き装身具の移動物体検知センサを示すブロック図である。
【図３】図３は、本発明の移動物体検知センサ付き装身具の第２実施形態を示す説明図である。図３（ａ）はペンダント、図３（ｂ）はブローチ、及び図３（ｃ）はリストバンドを示している。
【図４】図４は、図３の移動物体検知センサ付き装身具の移動物体検知センサを示すブロック図である。
【発明を実施するための形態】
【００１４】
以下、本発明を実施するための最良の形態を図面を用いて説明する。
〔第１実施形態〕
図１は、本発明の移動物体検知センサ付き装身具の第１実施形態を示している。本実施形態の移動物体検知センサ付き装身具１は、聴覚障害者に移動物体の接近を認知させる装置であり、薄板状の筐体２はシャツやズボンのポケットに挿入可能なサイズである。筐体２は、聴覚障害者が運動してもポケットに入れた筐体２が変形しない強度にされている。例えば、携帯電話の筐体の強度と同等にされる。この筐体２には、アンテナ、電子回路、及び圧電体を有するバイブレータ８が内蔵されている。筐体２の形状は、薄板状に限られることはなく、直方体状、円盤状その他の形状にすることができる。
【００１５】
図２は、移動物体検知センサ付き装身具１の移動物体検知センサ３を示している。この移動物体検知センサ３は、自動車等の移動物体の接近を検知するドップラーセンサ４と、ドップラーセンサ４からの信号を増幅する増幅器５と、増幅器５からの信号に基づいて移動物体の有無を検出する検出回路６とを有している。また、移動物体検知センサ３は、検出回路６からの信号を受信して発振器４１に制御信号を送信する制御回路７を有している。制御回路７からは交流信号が出力され、交流電圧によって変位する圧電体を有するバイブレータ８に入力される。このバイブレータ８は、ドップラーセンサ４によって自動車の接近を検知した場合に、聴覚障害者に自動車の接近を知らせる通知手段として機能する。
【００１６】
この移動物体検知センサ３では、自動車が接近するとドップラーセンサ４によって自動車が接近していることが検知される。そして、移動物体検知センサ３から検知信号がバイブレータ８に送信されて、該バイブレータ８の振動によって聴覚障害者に自動車の接近が認知させる。そのため、聴覚障害者は、後方を振り返って自動車を確認しなくてもバイブレータ８の振動によって接近中の自動車の存在を認知することができる。
【００１７】
ドップラーセンサ４は、発振器４１と送受信アンテナ４２とミキサ４３を有している。発振器４１は、制御回路７からの信号に応じて、所定の周波数の信号を発信する。この発振器４１内には増幅器が含まれ、発振した信号を所定の増幅率で増幅する。送受信アンテナ４２は、発振器４１からの信号をサーキュレータを介して送信する。送受信アンテナ４２から送信された電磁波は、聴覚障害者に接近中の自動車があれば、自動車によって反射され、送受信アンテナ４２に受信される。ミキサ４３は、送受信アンテナ４２からの信号をサーキュレータを介して受信し、この信号と、発振器４１からの信号とが乗算され、増幅器５へ向けて信号を出力する。
【００１８】
検出回路６では、増幅器５の出力信号に基づいて移動物体の有無を検出する。検出回路６は、増幅器５からの信号を整流して直流信号に変換する検波回路を有する。そして、検出回路６は、移動物体で反射された電磁波の強度に応じた直流電圧を制御回路７に送信する。
制御回路７は、検出回路６で移動物体が存在すると判断された場合に、バイブレータ８に交流電圧を送信し、圧電体を有するバイブレータ８を振動させる。本発明の場合、自動車が一定範囲に近づいたら、バイブレータ８が振動するように設定される。
なお、バイブレータ８の振動時間が経過するに連れてバイブレータ８の振動強度を高めてもよい。振動強度は、圧電体への印加電圧の振幅の強弱によって変化させることができる。
【００１９】
〔第２実施形態〕
図３は、本発明の移動物体検知センサ付き装身具の第２実施形態を示している。本実施形態では、通知手段として発光手段が用いられる。図３（ａ）は、ペンダント９を示している。ペンダント９にＬＥＤランプ１０が設けられ、このＬＥＤランプ１０が夜間に点灯すると聴覚障害者は当該点灯を視覚で認識する。ＬＥＤランプ１０の発色の種類としては、例えば、赤色、緑色、青色、白色又はこれらの混色が採用される。混色の場合には、ＬＥＤランプ１０を複数設けることになる。勿論、同一色のランプを複数設け、光の強度を高めてもよい。また、ＬＥＤランプでなく、白熱灯その他の発光手段を用いてもよい。
【００２０】
図３（ｂ）は、ブローチ１１を示している。ブローチ１１は、洋服の胸部に取り付けることができ、夜間に発光すると比較的視認し易い。図３（ｃ）は、リストバンド１２を示している。リストバンド１２を用いる場合は、聴覚障害者は視認できる位置に腕をかざしながら歩行するとよい。
【００２１】
図４は、図３の移動物体検知センサ付き装身具の移動物体検知センサを示している。図２のブロック図と比べて、バイブレータ８でなくＬＥＤランプ１０が用いられている点で異なる。このセンサでは、制御回路７からの信号により、ＬＥＤランプ１０が点灯する。そして、聴覚障害者に自動車の接近が視覚によって認知される。
【００２２】
以上、本発明を説明してきたが、本発明は上述した実施形態にのみ限定されるものではなく、その本質を逸脱しない範囲で、種々の変形が可能であることは言うまでもない。
【００２３】
例えば、上述した第１実施形態では、通知手段として薄板状の筐体２を用いた例について説明したが本発明はこれに限定されることなく、例えば、リストバンドに筐体を取り付けて筐体に内蔵されたバイブレータを振動させてもよい。
【００２４】
また、例えば、上述した第２実施形態では、発光手段をペンダント９、ブローチ１１及びリストバンド１２に設けた例について説明したが、本発明はこれに限定されることはなく、例えば、発光手段を指輪に設けたり、眼鏡のフレームに本発明の移動物体検知センサを取り付けたりしてもよい。
【００２５】
また、例えば、上述した第１及び第２実施形態では、移動物体として自動車を適用した例について説明したが、本発明はこれに限定されることはなく、例えば、オートバイやランニング中の通行人も移動物体に含まれる。
【産業上の利用可能性】
【００２６】
本発明は、移動物体が接近して来ていることを検知する移動物体検知センサ付き装身具に適用することができる。特に、高齢化社会では難聴者の割合が多いため、交通事故の予防に好適である。また、聴覚障害者に限られず、学校や幼稚園に通学する児童の安全のためにも用いることができる。また、ミラーの設置されていない十字路を走行する自動車運転手によっても有効である。
【符号の説明】
【００２７】
１  移動物体検知センサ付き装身具
２  筐体
３  移動物体検知センサ
４  ドップラーセンサ
４１  発振器
４２  送受信アンテナ
４３  ミキサ
５  増幅器
６  検出回路
７  制御回路
８  バイブレータ
９  ペンダント
１０  ＬＥＤランプ
１１  ブローチ
１２  リストバンド
【図１】
2010066276.tif 000003
【図２】
2010066276.tif 000004
【図３】
2010066276.tif 000005
【図４】
2010066276.tif 000006
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
移動物体の接近を検知する移動物体検知センサを備える移動物体検知センサ付き装身具であって、
前記移動物体検知センサはドップラーセンサを有し、
前記移動物体検知センサによって前記移動物体の接近を検知した場合に、聴覚障害者に前記移動物体の接近を認知させるバイブレータが設けられており、
前記バイブレータは、自動車が一定範囲に近づいたら振動し、前記バイブレータの振動時間が経過するに連れて前記バイブレータの振動強度が高まるように設定されていることを特徴とする移動物体検知センサ付き装身具。